(57)【要約】【課題】  仕切り板の態様変更への対応が容易でありながら、仕切り板の固定強度を確保しうる冊子用スタンドケースを提供する。【解決手段】  少なくとも底板１１及び背板１２を一体的に有した開放箱体のケース本体１に沿って仕切り板２が立設した状態で組み込まれる。仕切り板２は、互いに連接された２枚の二つ折り片同士が重なり状態となると共に、重なり状態の二つ折り片の各後端辺には、差し込みフラップ２３が、幅方向外側方へ折り曲げ可能に形成され、ケース本体１の背板１２の幅方向組み込み位置には、仕切り板２の前記差し込みフラップ２３を収容する、閉じた形状の差し込み孔３が、背板１２の高さ方向の一部であって差し込みフラップ２３への対応位置に形成され、各差し込みフラップ２３が、差し込み孔３に差し込まれた状態で、背板１２に沿って幅方向両側方へ折り拡げられた状態で組み込まれる。【選択図】  図４
2018033766.tif 000002
【特許請求の範囲】
【請求項１】
少なくとも底板及び背板を一体的に有して、上方及び前方に開放した状態へ組み上げ可能なケース本体と、
ケース本体の所定の幅方向組み込み位置の底板及び背板に沿って立設した状態で組み込まれる仕切り板と、から構成される冊子用スタンドケースであって、
仕切り板は、互いに連接された２枚の二つ折り片同士が重なり状態となると共に、重なり合った二つ折り片の各後部端辺には、差し込みフラップが、幅方向外側方へ折り曲げ可能に形成され、
ケース本体の背板の前記幅方向組み込み位置のそれぞれには、仕切り板の前記差し込みフラップを収容する、閉じた形状の差し込み孔が、背板の高さ方向の一部であって差し込みフラップへの対応位置に形成され、
各差し込みフラップが、差し込み孔に差し込まれた状態で、背板に沿って幅方向両側方へ折り拡げられた状態で組み込まれることを特徴とする、冊子用スタンドケース。
【請求項２】
前記差し込み孔は、仕切り板の２枚の二つ折り片の重なり厚さに対応した縦孔幅で縦方向に形成された縦孔部と、縦孔部の縦方向の一部であって少なくとも一箇所にて、縦孔部よりも大きい拡孔幅で側方へ拡幅形成された拡幅部と、を有してー体的に形成される、請求項１記載の冊子用スタンドケース。
【請求項３】
前記差し込み孔は、少なくとも、仕切り板の２枚の二つ折り片の重なり厚さに対応した縦孔幅で縦方向に形成された、縦孔形状の縦孔部を有して形成され、
前記縦孔部は、縦方向に亘って、２枚の二つ折り片の重なり厚さ以上の第一縦孔幅から、２枚の二つ折り片の重なり厚さ未満の第二縦孔幅まで暫時変化してなり、
仕切り板の２枚の二つ折り片は、差し込みフラップの収容状態において、重なり厚さ方向に圧入された状態で組み込まれる、請求項１又は２に記載の冊子用スタンドケース。
【請求項４】
前記仕切り板の、重なり状態の二つ折り片の各後部端辺には、差し込みフラップの下方又は上方の少なくともいずれかに、後方へ突出した第二差し込みフラップが形成され、
ケース本体の背板の前記幅方向組み込み位置のそれぞれには、前記第二差し込みフラップを突入させる、閉じた形状の第二差し込み孔が、背板の高さ方向の一部であって第二差し込みフラップの形成位置に対応して形成される、請求項１、２又は３のいずれかに記載の冊子用スタンドケース。
【請求項５】
前記背板は、互いに連接された内背板と外背板とが折り曲げによって重ね合わせ形成され、このうち背板の内面側の内背板に、仕切り板の差し込みフラップを差し込むための差し込み孔が形成され、各差し込みフラップが、差し込み孔に差し込まれた状態で、内背板の後部で幅方向両側方へ折り拡げられて、外背板と内背板の間に収容された状態で組み込まれるものであって、
組み込み状態において、外背板と内背板の間には、背板の両側方から介入され、各片一部同士が重なるように収容された左右の中背板が、左右互いの連結部を有して収容され、
仕切り板の前記差し込みフラップのいずれかは、両側方へ折り拡げられた状態で、前記左右の中背板に面圧を受けて固定される、請求項１、２、３又は４のいずれかに記載の冊子用スタンドケース。
【発明の詳細な説明】
【技術分野】
【０００１】
この発明は、カタログなどの冊子を含む図書や、文書、用紙、或いはこれらの形状に類する冊子状又は箱状の内容物を立てて収容するための、冊子用スタンドケースに関する。
【背景技術】
【０００２】
従来の、上方を開放したケース内の区画仕切り構造において、展開状態で背板・仕切り板を幅方向に連接し、背板の一区間を仕切り板にした厚紙製仕切が開示される（特許文献１参照）。この厚紙製仕切は、シート材に複数本の切込線を互い違いに入れると共に、各切込線の延長上に折返線を入れることにより、仕切板を、折返線を介して並列に繋ぎ、仕切板に重合壁部と単壁部とを設け、隣接する仕切板の重合壁部を折返線に沿って折り重ね、単壁部を離反する方向に折り曲げて、収納空間を区画するようにしている。このような仕切では、商品の収納空間を多数の部分に区画する場合でも、ブランクが一方向にのみ著しく長くなることがないので、材料の厚紙を効率よく使用して製造でき、輸送や保管時に嵩張ることもなく、商品の収納作業も容易に行うことができる、とされる。
【０００３】
また他に、糊貼りをしない組み上げ式の冊子用の収容ケースとして、従来、背板に溝を形成してこの溝内に仕切り板を差し込んで固定する収容ケースが開示される（特許文献２参照）。この収容ケースは、背面部から起立する複数枚の互いに平行な仕切を備えた組み立て可能なものとなっている。折り畳み時には、前記各仕切が前記背面部から起立可能に設けられ、前記各仕切には、組み立て後に前記仕切に直交する一対の側面部に接合された起動部が折り目を介して連設され、前記背面部と前記側面部との間の折り目に対し概ね３５°〜４５°程度傾いた起立用折り目が前記起動部の下端部に形成されていることで、前記一対の側面部を起こすと前記各仕切が同時に起立するようになっている。この収容ケースは、折り畳み・組立てが可能で、かつ、容易に組み立てることができる、とされる。
【先行技術文献】
【特許文献】
【０００４】
【特許文献１】特開２００５−２２５５１３号公報
【特許文献２】特開２００３−２３２０号公報
【発明の概要】
【発明が解決しようとする課題】
【０００５】
しかしながら、上記特許文献１記載の発明においては、仕切り板の位置や形状の変更のたびに展開形状の変更を余儀なくされるため、仕切り板の位置や形状の調整といった、仕切り態様の変更への対応が容易ではなかった。
【０００６】
また、上記特許文献２記載の発明においては、糊貼りをしない組み上げ式の収容ケースであるため、仕切り板の態様変更（位置や形状の調整）への対応が比較的容易ではあるものの、この種の収容ケースで重量物の冊子を収容して配送・運搬すると、内容物の重量によって形状を保持することができない。或いは仕切り板の固定箇所となる差し込み片の挿入溝の溝端に応力が集中して挿入溝が裂けてしまう等、仕切り板の固定強度や組み立て強度を確保することが困難であった。
【０００７】
そこで本発明においては、仕切り板の態様変更への対応が容易でありながら、仕切り板の固定強度や組み立て強度を確保しうる冊子用スタンドケースを提供することを課題とする。
【課題を解決するための手段】
【０００８】
前記課題を解決するため、次の（１）〜（５）の技術的手段を講じている。なお以下の各用語に続けて数字列又はアルファベットを含む数字列にて示す符号は、理解の補助のために図面にて実施例の相当構成箇所を参照するために便宜上付したものであり、概念ないし形態を特定したり限定したりするものではない。
【０００９】
（１）本発明の冊子用スタンドケースは、
少なくとも底板１１及び背板１２を一体的に有して、上方及び前方に開放した状態へ組み上げ可能なケース本体１と、
ケース本体の所定の幅方向組み込み位置の底板１１及び背板１２に沿って立設した状態で組み込まれる仕切り板２と、から構成される冊子用スタンドケースであって、
仕切り板２は、互いに連接された２枚の二つ折り片２１同士が重なり状態となると共に、重なり状態の二つ折り片２１の各後端辺には、差し込みフラップ２３が、幅方向外側方へ折り曲げ可能に形成され、
ケース本体の背板１２の前記幅方向組み込み位置には、仕切り板２の前記差し込みフラップ２３を収容する、閉じた形状の差し込み孔３が、背板１２の高さ方向の一部であって差し込みフラップ２３への対応位置に形成され、
各差し込みフラップ２３が、差し込み孔３に差し込まれた状態で、背板１２に沿った幅方向両側方へ折り拡げられた状態で組み込まれることを特徴とする。
【００１０】
このような構造であれば、差し込み孔３が閉じた孔形状のため、裂けにくく、また、差し込みフラップ２３が差し込み孔の両側方へ折り拡がって組み込まれた状態となるため、差し込み孔３の孔周囲を補強する形になり、強度を確保することができる。
【００１１】
さらにいえば、後述の実施例のように、ケース本体１の背板１２は、互いに連接された内背板１２１と外背板１２２とが折り曲げによって重ね合わせ形成され、このうち背板1２の内面の内背板１２１に、仕切り板２の差し込みフラップ２３を差し込むための差し込み孔３が形成され、各差し込みフラップ２３が、差し込み孔３に差し込まれた状態で、内背板１２１の後部で幅方向両側方へそれぞれ折り拡げられて、外背板と内背板の間に収容された状態で組み込まれることが好ましい。なお、幅方向両側方へ折り拡げられる、とは、各前端辺同士で連接された２枚の二つ折り板２１が、当該前端辺の折り曲げによって左右に重ね合わされた場合において、２枚の二つ折り板２１のうち右側の二つ折り板２１に連なる右側の差し込みフラップ２３が、当該二つ折り板２１に対して略垂直に、すなわち片先が右側方を向くように折り曲げられ、かつ、前記２枚の二つ折り板２１のうち左側の二つ折り板２１に連なる右側の差し込みフラップ２３が、当該二つ折り板２１に対して略垂直に、すなわち片先が左側方を向くように折り曲げられることをいう。
【００１２】
（２）前記差し込み孔３は、仕切り板２の重なり状態の二つ折り片２１の重なり厚さ２１Ｗに対応した縦孔幅３１Ｗで縦方向に形成された縦孔部３１と、縦孔部３１の縦方向の一部であって少なくとも一箇所にて、縦孔部３１よりも大きい拡孔幅３２Ｗで側方へ拡幅形成された拡幅部３２と、を有して一体的に形成されることが好ましい。
【００１３】
このような構造であれば、差し込み孔３の縦方向の一部が拡幅部３２によって差し込みフラップ２３を挿入可能に形成されると共に、差し込み孔３の残りの縦方向部分が縦孔部３１によって比較的小さい幅で差し込みフラップ２３の基端部を囲うこととなる（例えば後述の実施例の図６（ｃ）に示す状態）。このため、組み込み後の状態で不用に分解することがなく、仕切り板の組み上げ強度を確保することができる。
【００１４】
さらにいえば、前記拡幅部３２の拡孔幅３２Ｗは、差し込みフラップ２３が左右両側方へ折り拡げられた折り拡げ幅２３Ｗに対応して横長形状で形成される。これにより、前記縦差込みフラップ２３が両側方へ折り拡げた状態としたまま前記拡幅部３２から背板１２内に容易に挿入することで、仕切り板２の組み込み作業が容易となる。
【００１５】
（３）前記差し込み孔３は、少なくとも、仕切り板２の重なり状態の二つ折り片２１の重なり厚さ２１Ｗに対応した縦孔幅３１Ｗで縦方向に形成された、縦孔形状の縦孔部３１を有して形成され、
前記縦孔部３１は、縦方向に亘って、重なり状態の二つ折り片２１の重なり厚さ２１Ｗ以上の第一縦孔幅３１１Ｗから、前記重なり厚さ２１Ｗ未満の第二縦孔幅３１２Ｗまで暫時変化してなり、
仕切り板２の２枚の二つ折り片２１は、差し込みフラップの収容状態において、重なり厚さ方向に圧入された状態で組み込まれることが好ましい。
【００１６】
このような構造であれば、差し込み孔の縦孔部が、重なり厚さ２１Ｗよりも小幅となる幅変化部分を有することで、２枚の重なってなる二つ折り片２１が、重なり厚さ方向に圧入された状態で組み込まれることとなる。このため、組み込み固定が強固になり、重量物を収容した場合でも形状変形や崩壊をしにくくなり、組み立て強度をより確保することができる。
【００１７】
さらにいえば、後述の実施例のように、縦孔部３１の縦孔幅３１Ｗが、孔端部から孔の中央方向へ向かって徐々に変化することで、縦孔上端又は縦孔下端の第二縦孔幅３１２Ｗから、これよりも大きい他端側の第一縦孔幅３１１Ｗまで徐々に拡がってなり、さらに、この縦孔部３１のうち孔幅が拡がった他端側に、横長矩形状に拡幅した拡幅部３２が一体的に形成される（図６）ことが、組み込み作業の容易性と組み立て強度の確保の両面において好ましい。このような構成の場合、組み上げ方法において、仕切り板の組み込みの際に、差し込みフラップを縦孔部３１に挿入すると共に、縦孔形状の縦方向に沿って、第一縦孔幅３１１Ｗの部分から第二縦孔幅３１２Ｗの部分へと移動することで、仕切り板を徐々に差し込み孔３内に圧入することができる。
【００１８】
（４）仕切り板２の、重なり状態の二つ折り片２１の各後端辺には、差し込みフラップ２３の下方又は上方の少なくともいずれかに、後方へ突出した第二差し込みフラップ２４が形成され、ケース本体の背板１２の前記幅方向組み込み位置Ｐ２のそれぞれには、仕切り板２の前記第二差し込みフラップ２４を突入させる、閉じた形状の第二差し込み孔４が、背板１２の高さ方向の一部であって第二差し込みフラップ２４の形成位置に対応して形成されることが好ましい。
【００１９】
このような構造であれば、第二差込みフラップ２４の第二差し込み孔４への突入によって、仕切り板２の組み込み後の、縦方向への位置ズレを抑制することができる。前記差込みフラップ２３の差し込み孔３への折り拡げ収容に加え、前記第二差込みフラップ２４の第二差し込み孔４への突入収容を行うことで、高さ方向の複数個所で２種類の連結構造を組み合わせることとなり、重量物を収容した場合でも不要に組み込み状態が解除されにくい、相当の組み立て強度を確保することができる。
【００２０】
また特に、拡幅部を有する差し込み孔と第二差し込み孔とを上下に組合せた構成の場合、組み上げ方法において、拡幅部３２から差し込みフラップ２３を収容させて二つ折り片２１のスライド移動させた際に、第二差し込み孔へ第二フラップ２４を突入することで、二つ折り片２１のスライド後の位置を固定し、容易な組み込み手順をもって、差し込みフラップ２３の差し込み孔３への圧入状態を維持することができる。
【００２１】
（５）ケース本体１の背板１２は、互いに連接された内背板１２１と外背板１２２とが折り曲げによって重ね合わせ形成され、このうち背板1２の内面側の内背板１２１に、仕切り板２の差し込みフラップ２３を差し込むための差し込み孔３が形成され、各差し込みフラップ２３が、差し込み孔３に差し込まれた状態で、内背板１２１の後部で幅方向両側方へ折り拡げられて、外背板と内背板の間に収容された状態で組み込まれるものであって、
組み込み状態において、外背板１２２と内背板１２１の間には、背板の両側方からそれぞれ介入され、各片の一部同士が互いに重なるように収容された左右の中背板１２３（１２３Ｌ，１２３Ｒ）が、左右互いの連結部１２３Ｊを有して収容され、
仕切り板の前記差し込みフラップのいずれかは、両側方へ折り拡げられた状態で、前記左右の中背板１２３に面圧を受けて固定されることが好ましい。
【００２２】
このような構造であれば、外背板１２２と内背板１２１の間に２枚の中背板１２３が介在され、多重の面板によって互いに圧迫された背板１２を構成することによって、背板１２内に差し込まれた差し込みフラップ２３が面圧を受けた状態で固定される。これによって、背板１２と仕切り板２との固定強度が確保され、組上げの緩みを有さない、優れた組み立て強度が確保される
(例えば後述の図３)。
【発明の効果】
【００２３】
上記の構成を採用することで、仕切り板の位置や形状の変更が容易でありながら、仕切り板の固定強度及び組み立て強度を確保しうる冊子用スタンドケースとなった。
【図面の簡単な説明】
【００２４】
【図１】実施例１の冊子用スタンドケースの組み上げ状態の斜視図
【図２】図１の正面図
【図３】図２のＡ-Ａ断面図
【図４】実施例１の分解斜視図
【図５】図４の正面図
【図６】仕切り板の挿入状態の各段階を示す説明図
【図７】実施例１のケース本体１の展開図
【図８】仕切り板２の展開図及び組み上げ状態図
【図９】実施例２のケース本体１の展開図
【図１０】実施例３のケース本体１の展開図
【図１１】実施例４の仕切り板の挿入状態の各段階を示す説明図
【図１２】実施例５の仕切り板の挿入状態の各段階を示す説明図
【図１３】実施例６の仕切り板の挿入状態の各段階を示す説明図
【図１４】実施例７の仕切り板の挿入状態の各段階を示す説明図
【発明を実施するための形態】
【００２５】
以下、本発明の実施形態につき実施例として示す各図に基づいて説明する。なお以下の各用語に続けて数字列ないしアルファベットを含む数字列にて示す符号は、図面にて実施例の相当構成箇所を参照するために便宜上付したものであり、概念ないし形態を特定したり限定したりするものではない。
【００２６】
いずれの実施例においても、この発明の冊子用スタンドケースは、少なくとも底板１１及び背板１２を一体的に有して、上方及び前方に開放した状態へ組み上げ可能なケース本体１と、ケース本体１の所定の幅方向組み込み位置に立設した状態で組み込まれる仕切り板２と、から構成される。そして、ケース本体１における一または複数の所定の幅方向組み込み位置のそれぞれには、板状の仕切り板２が、ケース本体１の底板１１及び背板１２に沿って立設状態で組み込まれることで冊子用スタンドケースの形態に組み上げられる。また、組上げ状態を解除して箱体１、仕切り板２それぞれの展開状態に戻すことも可能となっている。
【００２７】
またいずれの実施例においても、本発明の特徴の一つとして、仕切り板２の後部端辺に、仕切り板２に対して折り曲げ可能な差し込みフラップ２３が突出形成される。またこれと共に、ケース本体１の背板１２のうち所定の幅方向組み込み位置には、仕切り板２をケース本体１へ組み込む際に前記差し込みフラップ２３を差し込み可能な差し込み孔３が設けられる。
【００２８】
前記差し込みフラップ２３は、この差し込み孔３内に差し込まれた状態で、冊子用スタンドケースを正面側から見た場合の一側方へ折り曲げられ、背板１２に沿った状態（折り曲げ状態）に組上げられる（後述の図２、３、６、或いは図１１〜図１４）。これにより、差込みフラップ２３が差し込み孔３から容易に抜けることがなくなり、強固な保持が可能となる。また、組上げ後に差し込みフラップ２３が背板３に沿った状態となることで、差し込み孔３周囲の背板１２が多層化された補強状態となる。
【００２９】
特に後述の実施例１のように、ケース本体１の背板１２が互いに連接された内背板１２１と外背板１２２とが折り曲げによって重ね合わせ形成された形態（図１、図７等）においては、差し込みフラップ２３を差し込むための差し込み孔３が内背板１２１にのみ形成され、外背板１２２には差し込み孔３が形成されていない。この形態では、各差し込みフラップ２３が、差し込み孔３に差し込まれた状態で、内背板１２１の後部で幅方向両側方へ折り拡げられて（つまり、右側の差し込みフラップ２３は片先が右外側方を向き、左側の差し込みフラップ２３は片先が左外側方を向くようにそれぞれ略垂直に折り曲げられて）、外背板１２２と内背板１２１の間に収容される。このとき図３に示すように、外背板１２２と内背板１２１のそれぞれに挟まれて、差し込みフラップ２３が面圧接された状態となり、組み立て強度に優れたものとなる。特に、冊子等の重量物を収容した状態であればさらに組み込み後に差し込みフラップ２３がずれにくくなり、さらに組み立て強度に優れたものとなる。
【００３０】
また前記差し込み孔３は、背板１２の一部分に形成された、閉じた形状（すなわち、特定の始点及び終点を有さず所定形状に連なった線形状からなるもの）の孔縁からなる貫通孔であって、孔の上下又は左右が開放されずに背板１２の一部分の高さの範囲に打ち抜き形成されることで、差込みフラップ２３の突出基部の周囲全体を背板１２で囲いながら重ね覆うものとなっている。前記閉じた形状の孔縁は、滑らかに連なった線縁で所定形状をなし、かつ当該線縁の一部に切込み部を有さないことで、応力集中が発生しにくく裂けにくいものとなっている。
【００３１】
差し込み孔３は、差込みフラップ２３のフラップ高さ２３Ｈに対応してこれと同一又は僅かに大きい孔高さ３Ｈとなっており、差し込み孔３の一部分は、仕切り板２の仕切り部分の厚さ（実施例１における重なり状態の二つ折り片２１全体の重なり厚さ２１Ｗ）に対応してこれと同一又は僅かに小さい孔幅（縦孔幅３１Ｗ）となっている。なお、実施例として示す各図の差し込み孔３は孔高さ３Ｈのほうが孔幅よりも小さい縦長の扁平孔となっているが、差込みフラップ２３の形態に合わせて、孔高さ３Ｈのほうが孔幅よりも大きい横長の扁平孔となっていてもよい。
【００３２】
他に、差し込み孔３の形状は、一部分に孔幅を大きくした拡幅部３２を有したもの、或いは、一部分の孔幅を、上方又は下方へ向かって幅方向の変化をつけてもよい。例えば、後述の実施例１（図４〜７）や実施例２（図８）、実施例３（図９）では、孔の一端である上方へ向かって孔幅（縦孔幅３１Ｗ）が窄まる縦孔部３１と、縦孔部３１の他端側である下部にて横長矩形形状に拡幅した拡幅部３２とが組み合された、略凸字形状の打ち抜き孔となっている。また、後述の実施例５（図１２）では、孔の一端である下方へ向かって孔幅が窄まる縦孔部３１と、縦孔部３１の他端側である上部にて横長矩形形状に拡幅した拡幅部３２とが組み合された、倒立凸字形状の打ち抜き孔となっている。また、後述の実施例６（図１３）では、差し込み孔３の高さ方向の中央部にて横長矩形形状に拡幅した拡幅部３２が形成され、拡幅部３２の下部から差し込み孔の下端にかけて孔幅が窄まる縦長の縦孔部３１と、拡幅部３２の上部から差し込み孔の上端にかけて孔幅が窄まる縦長の縦孔部３１とが形成された、略十字形状の打ち抜き孔となっている。さらに、後述の実施例７（図１４）では、差し込み孔３の高さ方向の上下部それぞれに、略三角形状に拡幅した拡幅部３２が形成され、上下の拡幅部３２の間に等幅形成された縦長の縦孔部３１が形成された、いわゆる砂時計の形状の打ち抜き孔となっている。
【００３３】
拡幅部３２の拡孔幅３２Ｗは、２枚の差込みフラップ２３を左右側方へそれぞれ折り拡げた状態で差し込めるよう、折り拡げ幅２３Ｗと同一であるか或いは僅かに大きく調整されている。差し込みフラップ３２を、両側方へ折り拡げた状態のまま差込み孔３の一部の拡幅部３２内に差込み、次いで縦孔部３１に沿ってスライド移動させることで、差込みフラップ３を、背板１２（或いは内背板１２１）に沿った状態で容易に収容することができる（例えば後述の図２、図６）。また、拡幅部３２の上下いずれかに縦長かつ細幅の縦孔部３１が形成されることで、差込みフラップ３の取付け基部、及び仕切り板２の仕切り片（実施例１でいう二つ折り片２１）の基部近傍を覆って、差し込み孔３と差込みフラップ２３との組み立て強度を確保することができる。以下、本発明の実施例１〜７の各実施例の構成につき詳述する。
【実施例１】
【００３４】
図１〜図８に示す実施例１の冊子用スタンドケースは、底板１１、背板１２、及び左右の側板１３を一体的に有して、上方及び前方に開放した状態に組み上げ可能なケース本体１と、ケース本体１のうち４箇所の幅方向組み込み位置Ｐ２に立設した状態で組み込まれる、４つの仕切り板２と、から構成される（特に図４、図５等）。本実施例のケース本体１及び仕切り板２はいずれも、板厚方向への多少の圧縮変形性を有する段ボール板で構成され、段目方向は横方向に設定される（図７、図８）。
【００３５】
（ケース本体１）
実施例１のケース本体１は、図７に示す展開状態で、いずれも略横長矩形の内背板１２１、外背板１２２、外底板１１２、及び内底板１１１が順に上下に連接され、外底板１１２の左右外方に、それぞれ略台形の外側板１３２が連接される。また側板１３２の底辺を除く三辺には各々、中背板１２３（左の中背板１２３Ｌ及び右の中背板１２３Ｒ）、上部側板１３３、及び内側板１３１が連設される。
【００３６】
図４、図５に示す実施例１のケース本体１のみの組み上げ状態において、内底板１１１及び外底板１１２は二重に重なるように折り曲げられて二重の底板１１を構成し、設置面上に水平に載置される。また、内背板１２１及び外背板１２２は二重に重なるように折り曲げられて、重なり合った複数の板からなる背板１２を構成し、底板１１の後部から略垂直に立つように組み上げられる（図４、図５）。このとき、内底板１１１の前端辺に部分的に設けられた複数の係止片１１１Ｔは、内背板１２１の下端辺の対応位置に部分的に設けられた複数の係止孔１１１Ｈ，１１０Ｈにそれぞれ突入して係止する（図７参照）。また、内背板１２１の前端辺に部分的に設けられた複数の係止片１１６Ｔは、外底板１１２の後端辺の対応位置に部分的に設けられた複数の係止孔６にそれぞれ突入して係止する（図７参照）。
【００３７】
なお、内底板１１１の前端辺には４本の第三差し込み部５による５つの切欠き片部が形成されるところ、前記内底板１１１の係止片１１１Ｔは、これら５つの切欠き片部それぞれの前端辺の中央に延出形成される。また、内背板１２１の下端辺の対応位置には、三方枠形状に切欠き形成された５つの係止孔１１１Ｈ，１１０Ｈが、前記５つの係止片１１１Ｔの形成箇所に対応して形成されるところ、これら５つの係止孔のうち中央の係止孔１１０Ｈのみ、他の係止孔１１１Ｈよりも切欠き深さ（三方枠形状の枠高さ）が高くなるよう、比較的大型の台形型に切欠き形成される。これは、組上げ状態から分解する際の手掛かり部（すなわち、分解開始のための手掛かり用の孔）の役割を果たしている。
【００３８】
外側板１３２は片傾斜台形状をなして、外底板１１２の両側辺に台形下辺で連なり、内側板１３１は、外側板１３２のうち前方寄りの台形傾斜辺を折り曲げ辺として外側板１３２の前方に連なり、上部側板１３３は外側板１３２の上辺を折り曲げ辺として外側板１３２の上方に連なる。そして、２枚の中背板１２３（左の中背板１２３Ｌ及び右の中背板１２３Ｒ）が、外側板１３２の後方寄りの垂直辺を折り曲げ辺として外側板１３２の後方に連なる。組み上げの際、内側板１３１は、外側板１３２の前方から外側板１３２の台形傾斜辺にて二重に重なるように折り曲げられ、上部側板１３３は外側板１３２の上部にて折り曲げられて、内側板１３１と共に部分的に三重の側板１３を構成した組上げ状態となる。このとき、内側板１３１の前辺に部分的に設けられた係止片１３７Ｔは、左右の側板１３の各後端辺の先側に設けられた係止孔７に突入して係止する。
【００３９】
また、左右の側板１３の各後端辺には、中背板（左の中背板１２３Ｌ及び右の中背板１２３Ｒ）が連設されており、各中背板の先側には他方の中背板と相互に係止連結するための連結部１２３Ｊが切込み形成される（図７）。連結部１２３Ｊは具体的には、左の中背板１２３Ｌの先側の高さ方向略中央に下向きに突出形成された下向き連結片と、右の中背板１２３Ｒの高さ方向略中央に、上向きに突出形成された上向き連結片と、からなる（図７）。左の中背板１２３Ｌと右の中背板１２３Ｒは、組み上げの際に背板１２の左右側部の各方それぞれから他方側へ重なるように側部から挿入され、左右から抱き合せるように組み合わされて、互いの連結部１２３Ｊ同士で相互連結される。このとき、下向き連結片と上向き連結片とが互いに組み合されて係止し、連結状態となる。組み上げ状態では、左の中背板１２３Ｌと右の中背板１２３Ｒとが、外背板１２２の前面に、いわゆる抱き合わせ状態で連結され、そのさらに前面に、内背板１２１が折り重ねられる。これにより、組上げ状態のける各中背板は、外背板１１２と内背板１２１との間に介在した状態となる。背板１２は幅方向中央部にて部分的に４重の板体が重なってなり、残る幅方向両側部付近にて部分的に３重の板体が重なってなる（図３）。このように複数の板体が多重に重なることで互いに圧迫され、全体として、組上げの緩みを有さず厚さ方向に膨らんだ状態の背板２が形成される。
【００４０】
（仕切り板２）
実施例１の仕切り板２は、互いに連接された２枚の二つ折り片２１同士が二つ折りされて、所定の重なり厚さ２１Ｗの重なり状態となると共に、重なり状態の二つ折り片２１の各後端辺のうち上部寄りの一部分には、縦長矩形の差し込みフラップ２３が、左右に折り拡げた状態となるよう、幅方向（ケース本体１の幅方向）外側方へ（すなわち、二つ折り片２１に対して略垂直に）折り曲げ可能に突出形成される（図４、図５、図８）。差込みフラップ２３は具体的には、角部が斜めにカットされた縦長矩形形状からなり、左右の差し込みフラップ２３を折り拡げた状態では左右一対で略八角形の折り拡げ形状をなす（図８）。この差し込みフラップ２３はケース本体１に設けられた差し込み孔３に対応して形成され、差し込み孔３と共に折り拡げ式の連結構造をなす。すなわち、差し込みフラップ２３の折り拡げ形状における折り拡げ幅２３Ｗは、後述の差し込み孔３の拡幅部３２の拡孔幅３２Ｗに対応するものとなっており、フラップ高さ２３Ｈは後述の差し込み孔３の孔高さ３Ｈに対応するものとなっている。
【００４１】
また、重なり状態の二つ折り片２１の各後端辺のうち下部寄りの一部分には、縦長矩形形状の突出片からなる第二差し込みフラップ２４が、二つ折り片２１と同一面上のまま後方へ突出形成される（図４、図５、図６、図８）。この第二差し込みフラップ２４はケース本体１に設けられた第二差し込み孔４に対応して形成され、第二差し込み孔４と共に突入式の連結構造をなす（図６ｃ）。
【００４２】
またさらに、重なり状態の二つ折り片２１の各下端辺には、下端辺全部を延長する略横長五角形形状の延長片からなる第三差し込みフラップ２５が、左右に折り拡げた状態となるよう、幅方向（ケース本体１の幅方向）外側方へ（すなわち、二つ折り片２１に対して略垂直に）折り曲げ可能に突出形成される（図４、図５、図６、図８）。
【００４３】
（差し込み孔３）
実施例１の背板１２の前記幅方向組み込み位置Ｐ２のそれぞれには、切込み部や開放部を含まない所定の打ち抜き形状からなる、閉じた形状の差し込み孔３が、背板１２の上部寄りである高さ方向の一部であって差し込みフラップ２３への対応位置に形成される。特に、実施例１の差し込み孔３は、仕切り板２の前記差し込みフラップ２３を収容し得るよう、差込みフラップ２３のフラップ高さ２３Ｈと、ほぼ同じ孔高さ３Ｈで形成され、また、縦長形状の縦孔部３１の下部に、所定の拡孔幅３２Ｗにまで両側方へ拡幅する拡幅部３２が形成された、略凸字形状の打ち抜き孔からなる。
【００４４】
拡幅部３２は、仕切り板２の前記差し込みフラップ２３を両側方へ折り曲げた状態のまま収容し得るよう、２枚の差込みフラップ２３を両側方へ折り拡げたときの折り拡げ幅２３Ｗと、ほぼ同じ拡孔幅３２Ｗからなる。実施例１では隅丸の横長形状であり、縦孔部３１の下端から円弧状の連結ラインで連なる。
【００４５】
仕切り板２のケース本体１への組み込み状態では、各差し込みフラップ２３が、差し込み孔３の拡幅部３２から差し込まれて上方へスライド移動されることで、２枚の差し込みフラップ２３それぞれが、背板１２に沿った幅方向両側方へ折り拡げられた状態で、内背板１２１と外背板１２２との間に収容される（図６）。
【００４６】
縦孔部３１は、重なり状態の二つ折り片２１の重なり厚さ２１Ｗに対応した、重なり厚さ２１Ｗと同一かそれ以下の縦孔幅３１Ｗからなるが、特に本実施例では、縦孔部３１の下部の第一縦孔幅３１１Ｗから上端に向かって縦孔幅３１Ｗが暫時小さくなり、縦孔部３１の上端では第一縦孔幅３１１Ｗよりも２０％程度小さい第二縦孔幅３１２Ｗとなっている。仕切り板２の組み込みの際には、図６に示すように、二つ折り片２１を縦孔部３１の下部から上部へスライド移動させることで、二つ折り片２１が縦孔部３１内に圧入される。すなわち二つ折り片２１を上方へスライド移動させるほど、縦孔部３１によって二つ折り片２１が厚さ方向の圧縮力を受けることとなる（図６ｃ）。
【００４７】
差し込みフラップ２３を背板１２の差し込み孔３に折り拡げた組み上げ状態において、差し込みフラップ２３は、両側方へ折り拡げられた状態で、折り曲げによって重ね合わせ形成された内背板１２１と外背板１２２との間に介在され、表面、裏面共に面圧を受けて固定される。
【００４８】
また本実施例の背板１２は、前記したように、折り曲げによって重ね合わせ形成された内背板１２１と外背板１２２との間に、左の中背板１２３Ｌと右の中背板１２３Ｒが互いに幅方向中央部で連結した状態で介設される。これにより、背板１２は幅方向中央部にて部分的に４重の板体が重なってなり、残る幅方向両側部付近にて部分的に３重の板体が重なってなる（図３）。前記３重の板体が重なってなる幅方向左右の各位置では、組み込まれた差し込みフラップ２３は、内背板１２１と外背板１２２との間で、前記左の中背板１２３Ｌまたは右の中背板１２３Ｒの介在による、３重積層分の面圧を受けて挟圧固定される。またさらに、前記４重の板体が重なってなる幅方向中央位置では、組み込まれた差し込みフラップ２３は、内背板１２１と外背板１２２との間で、２枚の中背板１２３の連結部１２３Ｊの介在により、４重積層分のさらなる面圧を受けて挟圧固定される（図３拡大図参照）。
【００４９】
すなわち、組み込み状態の背板１２の幅方向中央部において、折り拡げられた前記差し込みフラップ２３は、背板の両側方から介入された左右の中背板１２３と共に、外背板１２２と内背板１２１の間に、３枚分の積層厚さで介在されることとなる。これにより、常に厚さ方向への面圧を受けた挟圧状態となり、特に固定強度に優れたものとなる。
【００５０】
（第二差し込みフラップ２４、及び第二差し込み孔４）
仕切り板２の、重なり合った二つ折り片２１の各後端辺であって、差し込みフラップ２３の下方には、二つ折り片２１と同一面上で後方へ突出した第二差し込みフラップ２４が形成される。また、ケース本体の背板１２の前記幅方向組み込み位置Ｐ２のそれぞれには、仕切り板２の前記第二差し込みフラップ２４を突入させる、縦型に閉じた形状の第二差し込み孔４が、背板１２の高さ方向の一部であって第二差し込みフラップ２４の形成位置に対応して形成される。
【００５１】
前記差し込みフラップ２３と差し込み孔３からなる折り拡げ式の連結構造と、当該第二差し込みフラップ２４と第二差し込み孔４からなる突入式の第二連結構造とを組み合わせて設け、これらを、一つの幅方向組み込み位置Ｐ２の背板１２及び仕切り板２の後端辺にて、上下に所定間隔をあけて配置することで、仕切り板２の組み込み後の固定強度が確保される。また、本実施例のように、拡幅部３２を有した凸字形状の差し込み孔３を有した折り拡げ式の連結構造と、その下方の第二連結構造との組合せにおいては特に、折り拡げ式の連結構造にて仕切り板２を上方へスライドさせて連結させ、これに続いて下部の第二連結構造にて第二差し込みフラップ２４を突入させて連結させた組上げ状態となる。このとき、第二連結構造は、折り拡げ式の連結構造におけるスライド位置を上下方向へ保持固定するという機能を発揮する。
【００５２】
（第三差し込みフラップ２５、及び第三差し込み部５）
仕切り板２の、重なり合った二つ折り片２１の各下端辺には、二つ折り片２１の両側方へ折り曲げ可能な第三差し込みフラップ２５が形成される。また、ケース本体の底板１２のうち外底板１１２の上方に重ねられる内底板１１１には、仕切り板２の二つ折り片２１を差し込み可能な切込み形状の第三差し込み部５が、仕切り板２の幅方向組み込み位置Ｐ２のそれぞれに形成される。この第三差し込みフラップ２５と第三差し込み部５とからなる第三連結構造は、仕切り板２の底部の組み込み位置を固定する、いわゆる折り拡げ式の連結構造となっている。この第三連結構造を、前記差し込みフラップ２３と差し込み孔３からなる折り拡げ式の連結構造と組み合わせて設けることで、仕切り板２の後端辺と底端辺とを共に折り拡げ式のフラップ構造で連結することとなる。これは特に冊子等の重量物を収容した場合に折り拡げられたフラップ面が収容物から面圧を受けることから、収容時の形状保持性や組上げ強度に優れたものとなる。
【００５３】
さらに本実施例のように、拡幅部３２を有した凸字形状の差し込み孔３を有した折り拡げ式の連結構造と、その下方の第二連結構造と、第三差し込みフラップ２５と第三差し込み部５とからなる第三連結構との３つの組合せにおいては、折り拡げ式の連結構造にて仕切り板２を上方へスライドさせて連結させ、これに続いて下部の第二連結構造にて第二差し込みフラップ２４を突入させて連結させ、仕切り板２の底端辺を折り拡げ式のフラップ構造で連結した組上げ状態となる。このような組上げ状態で冊子等の重量物の内容物を収容したとき、本実施例の冊子用スタンドケースは、第一、第二、第三連結構造があいまって、仕切り板の固定強度、及び冊子用スタンドケース全体の組み上げ状態の形状維持性に優れたものとなる。
【００５４】
より具体的には、第三差し込み部５は後端が開放した縦長矩形の切込み形状からなり、二つ折り片２１の重なり厚さ２１Ｗに対応した切り込み幅で等幅形成されると共に、第三差し込みフラップ２５のフラップ長に対応した切込み長さで形成される。仕切り板２の組み上げの際には、各二つ折り片２１の第三差し込みフラップ２５を二つ折り片２１の両側方へ略水平に折り拡げた状態で外底板１１２上に接地させ、次いで、外底板１１２の先側に連接される内底板１１１を折り返して外底板１１２の上面へ二重に重なるようにする。このとき、第三差し込み部５に各仕切り板２の重なり状態の二つ折り片２１を差し込み、第三差し込みフラップ２５の上面を内底板１１１が覆うようにする。
【実施例２】
【００５５】
図９に示す実施例２の冊子用スタンドケースは、外底板１１２及び内底板１１１からなる底板１１、並びに外背板１２２及び内背板１２１からなる背板１２を一体的に有して、上方、前方、及び両側方に開放した、組み上げ可能なケース本体１と、ケース本体１のうち４箇所の幅方向組み込み位置Ｐ２に立設した状態で組み込まれる、４つの仕切り板２と、から構成される。このうちケース本体１の展開図のみを図９に示す。仕切り板２の形状及び組み込み方法、組上げ状態は、側板１３を有さないことを除いて実施例１と同様である。
【実施例３】
【００５６】
図１０に示す実施例３の冊子用スタンドケースは、外底板１１２及び内底板１１１からなる底板１１、一枚の背板１２、並びに、外側板１３２及び内側板１３１及び上部側板１３３からなる左右の側板１３を一体的に有して、上方及び前方に開放した、組み上げ可能なケース本体１と、
ケース本体１のうち４箇所の幅方向組み込み位置Ｐ２に立設した状態で組み込まれる、４つの仕切り板２と、から構成される。このうちケース本体１の展開図のみを図１０に示す。仕切り板２の形状及び組み込み方法、組上げ状態は、実施例１のような内背板１２１を有さないことを除いて実施例１と同様である。組み上げ状態で、折り拡げられた差込みフラップ２３、及び第二差し込みフラップ２４の先部は、共に背板１２の裏面（背面）に露出する（図示せず）。
【実施例４】
【００５７】
図１１に示す実施例４の冊子用スタンドケースは、差し込み孔３の形状のバリエーションを示す例である。本実施例では、仕切り板２を下方から上方へスライド移動させて組み込む態様となっている（このことから、図１１ａにてケース本体の内背板１２を図内上部に、仕切り板２を図内下部に配置している。）。本実施例では、縦孔部３１のみからなる略Ｉ字型の差し込み孔３と、その下方の、同じく略Ｉ字形状の第二差し込み孔４とが、内背板１２１の所定の幅方向組み込み位置Ｐ２にそれぞれ形成される。本実施例の際込み孔３は、実施例１のような拡幅部３２や孔幅の変化部を有さない。
【００５８】
縦孔部３１のみからなる差し込み孔３の孔幅３１Ｗ、及び、第二差し込み孔４の孔幅４Ｗは、共に、重なり状態の二つ折り片の重なり厚さ２１Ｗとほぼ同一となっている。また、差し込み孔３の孔高さ３Ｈは、差し込みフラップ２３のフラップ高さ２３Ｈに対応する。
【００５９】
組み込みの際は、差込みフラップ２３を二つ折り片２１と同一面上にした伸展状態Ｓ１のまま、差し込み孔３に挿入し（図１１ｂ）、挿入後に差し込みフラップ２３を折り曲げ状態Ｓ２とする（図１１ｃ、図１１ｄ）。第二差込みフラップ２４は、二つ折り片２１と同一面上にされた伸展状態Ｓ１のまま第二差し込み孔４に突入される（図１１ｄ）。ケース本体の構造、仕切り板２の形状及び組み込み方法、組上げ状態は、差し込み孔３の形状の相違を除いて実施例１と同様である。組み上げ状態で、折り拡げられた差込みフラップ２３、及び第二差し込みフラップ２４の先部は、内背板１２１の背面にて図１１ｄに示す状態となる。
【実施例５】
【００６０】
図１２に示す実施例５の冊子用スタンドケースは、差し込み孔３の形状のバリエーションを示す例である。但し、図１１或いは図１３ないし図１５に示す他の実施例と異なり、仕切り板２を上方から下方へスライド移動させて組み込む態様となっている（このことから、図１２ａではケース本体の内背板１２を図内下部に、仕切り板２を図内上部に配置している。）。本実施例では、下方へ向かって孔幅が窄まる縦孔部３１と、縦孔部３１の上端にて横長矩形形状に拡幅した拡幅部３２とが組み合された、倒立凸字形状の打ち抜き孔となっている。また、この差し込み孔３の下方に、略Ｉ字形状の第二差し込み孔４が形成される。縦孔部３１は両側孔縁が傾斜直線で形成され、孔幅が下方へ向かって、上部の第一縦孔幅３１１Ｗから下端の第二縦孔幅３１２Ｗとなるよう、暫時小さくなる。
【００６１】
縦孔部３１の上端部であって最大の縦孔幅部である第一縦孔幅３１１Ｗは、重なり状態の二つ折り片の重なり厚さ２１Ｗよりわずかに大きい。また、縦孔部３１の下端部であって最小の縦孔幅部である第二縦孔幅３１２Ｗは、重なり状態の二つ折り片の重なり厚さ２１Ｗよりわずかに小さい。また、縦孔部３１の下端は、孔強度に優れた半円弧形状の孔端部３１３からなる。また、差し込み孔３の全体の孔高さ３Ｈは、差し込みフラップ２３のフラップ高さ２３Ｈと同一であり、差し込み孔３の拡幅部３２の拡孔幅３２Ｗは差し込みフラップ２３の折り拡げ幅２３Ｗと同一である。
【００６２】
組み込みの際は、差込みフラップ２３を両側方へ折り拡げた折り拡げ状態のまま、差し込み孔３に挿入し（図１２ｂ）、仕切り板２を下方へスライド移動させ、第二差込みフラップ２４を、二つ折り片２１と同一面上にした突入状態のまま第二差し込み孔４に突入させる（図１２ｄ）。ケース本体の構造、仕切り板２の形状及び組み込み方法、組上げ状態は、差し込み孔３の形状の相違を除いて実施例１と同様である。組み上げ状態で、折り拡げられた差込みフラップ２３、及び第二差し込みフラップ２４の先部は、内背板１２１の背面にて図１２ｄに示す状態となる。
【実施例６】
【００６３】
図１３に示す実施例６の冊子用スタンドケースは、差し込み孔３の形状のバリエーションを示す例である。本実施例の差し込み孔３は、差し込み孔３の高さ方向の中央部にて横長矩形形状に拡幅した拡幅部３２が形成され、拡幅部３２の下部から差し込み孔の下端にかけて孔幅が窄まる縦長の縦孔部３１と、拡幅部３２の上部から差し込み孔の上端にかけて孔幅が窄まる縦長の縦孔部３１とが形成された、略十字形状の打ち抜き孔となっている。また、この差し込み孔３の下方に、略Ｉ字形状の第二差し込み孔４が形成される。上部の縦孔部３１は両側孔縁が傾斜直線で形成され、孔幅が上方へ向かって、下部の第一縦孔幅３１１Ｗから上端の第二縦孔幅３１２Ｗとなるよう、暫時大きくなる。下部の縦孔部３１は両側孔縁が傾斜直線で形成され、孔幅が下方へ向かって、上部の第一縦孔幅３１１Ｗから下端の第二縦孔幅３１２Ｗとなるよう、暫時小さくなる。
【００６４】
縦孔部３１の最大の縦孔幅部である第一縦孔幅３１１Ｗは、重なり状態の二つ折り片の重なり厚さ２１Ｗよりわずかに大きい。また、縦孔部３１の最小の縦孔幅部である第二縦孔幅３１２Ｗは、重なり状態の二つ折り片の重なり厚さ２１Ｗよりわずかに小さい。また、差し込み孔３の全体の孔高さ３Ｈは、差し込みフラップ２３のフラップ高さ２３Ｈと同一であり、差し込み孔３の拡幅部３２の拡孔幅３２Ｗは差し込みフラップ２３の折り拡げ幅２３Ｗと同一である。
【００６５】
組み込みの際は、差込みフラップ２３を両側方へ折り拡げた折り拡げ状態のまま、差し込み孔３に挿入し（図１３ｂ）、仕切り板２を上方又は下方へスライド移動させ、第二差込みフラップ２４を、二つ折り片２１と同一面上にした突入状態のまま第二差し込み孔４に突入させる（図１３ｄ）。このとき、仕切り板２を下方から上方へスライド移動させてもよいし（図１３ｂのように）、上方からスライド移動させてもよい。ケース本体の構造、仕切り板２の形状及び組み込み方法、組上げ状態は、差し込み孔３の形状の相違を除いて実施例１と同様である。組み上げ状態で、折り拡げられた差込みフラップ２３、及び第二差し込みフラップ２４の先部は、内背板１２１の背面にて図１３ｄに示す状態となる。
【実施例７】
【００６６】
図１４に示す実施例７の冊子用スタンドケースは、差し込み孔３及び差し込みフラップ２３の形状のバリエーションを示す例である。本実施例の差し込み孔３は、差し込み孔３の高さ方向の上下部それぞれに、略三角形状に拡幅した拡幅部３２が形成され、上下の拡幅部３２の間に等幅形成された縦長の縦孔部３１が形成された、いわゆる砂時計の形状の打ち抜き孔となっている。また、この差し込み孔３の下方に、略Ｉ字形状の第二差し込み孔４が形成される。上部の拡幅部３２は両側孔縁が傾斜直線で形成され、上方へ向かって拡孔幅３２Ｗが暫時大きくなる。下部の拡幅部３２は両側孔縁が傾斜直線で形成され、下方へ向かって孔幅が暫時大きくなる。縦孔部３１の孔幅３１Ｗは、孔幅の変化を有さず一定の大きさであると共に、重なり状態の二つ折り片２１の重なり厚さ２１Ｗよりわずかに小さいものとなっている。
【００６７】
また、本実施例での差し込みフラップ２３は、折り曲げ線２３０Ｆを介して、二つ折り片２１と分離されたまま下方へ延長させた延長片２３０を有する。差し込み孔３の全体の孔高さ３Ｈは、この延長片２３０を除く差し込みフラップ２３のフラップ高さ２３Ｈと同一であり、差し込み孔３の拡幅部３２の拡孔幅３２Ｗは差し込みフラップ２３の折り拡げ幅２３Ｗと同一である。
【００６８】
組み込みの際は、左右へ折り拡げた差込みフラップ２３の延長片２３０を、折り曲げ線２３０Ｆにて折り曲げ、差し込みフラップ２３と重なるように折り畳んだ折り曲げ状態Ｓ２とし、この折り曲げ状態Ｓ２のまま、差し込み孔３に挿入し（図１４ａ）、仕切り板２を上方又は下方へスライド移動させ（図１４ｂ）、次いで、内背板１２１の背面に収容された差し込みフラップ２３を、折り曲げ状態Ｓ２から伸展状態Ｓ１とする（図１４ｃ、図１４ｄ）。組み込み状態では、延長片２３０が内背板１２１、外背板１２２の間にて、折り曲げ状態を解除された状態（折り曲げ状態の弾性復帰力を有した状態）で圧接力を有して介在する（図１４ｄ）。また、第二差込みフラップ２４を、二つ折り片２１と同一面上にした突入状態のまま第二差し込み孔４に突入させる（図１４ｄ）。ケース本体の構造、仕切り板２の形状及び組み込み方法、組上げ状態は、差し込み孔３の形状の相違を除いて実施例１と同様である。組み上げ状態で、折り拡げられた差込みフラップ２３、及び第二差し込みフラップ２４の先部は、内背板１２１の背面にて図１４ｄに示す状態となる。
【００６９】
上述した構成により、本発明は重量物である冊子や冊子型の収容物を立てた状態で並べて収容する冊子用スタンドケースであって、重量物を収容して運搬・搬送する場合であっても、組上げ状態を維持するための組み上げ強度を確保するものとなった。また、これらの内容物をスタンド内に収容したまま配送・運搬するための配送・運搬箱としても使用できるものとなった。
【００７０】
また、内容物を収容したまま本発明の冊子用スタンドケースを配送・運搬する場合は、ケース本体１の底板１１ないし側板１３を持ってそのまま運んでもよいが、他に例えば、冊子用スタンドケースの背板、底板、及び前方ないし上方の開放部を包んで囲う、把手孔付きの５面連板からなる包み板材と組み合わせてもよい（図示せず）。この場合、包み板材の把手孔によって運搬・搬送が容易でありながら運搬時の形状維持性により優れたものとなる。
【００７１】
その他本発明は上述した実施例に限られず、実施例の各部の各要素を組み合わせ或いは各要素の抽出ないし置換など、本発明の趣旨を逸脱しない程度の種々の変更を適宜行うことができる。また各構成の形状は実施例の説明ないし各図にあらわされたものに限られず、要素ごとの形状変更が可能である。
【符号の説明】
【００７２】
１  ケース本体
１１  底板
１１１  内底板
１１２  外底板
１２  背板
１２１  内背板
１２２  外背板
１２３  中背板
１２３Ｊ  連結部
１２３Ｌ  左の中背板
１２３Ｒ  右の中背板
２  仕切り板
２１  二つ折り片
２１Ｗ  重なり厚さ
２３  差し込みフラップ
２４  第二差し込みフラップ
２５  第三差し込みフラップ
３  差し込み孔
３１  縦孔部
３１Ｗ  縦孔幅
３１１Ｗ  第一縦孔幅
３１２Ｗ  第二縦孔幅
３２  拡幅部
３２Ｗ  拡孔幅
４  第二差し込み孔
５  第三差し込み部
Ｐ２  幅方向組み込み位置
Ｓ１  伸展状態
Ｓ２  折り曲げ状態
【図１】
2018033766.tif 000003
【図２】
2018033766.tif 000004
【図３】
2018033766.tif 000005
【図４】
2018033766.tif 000006
【図５】
2018033766.tif 000007
【図６】
2018033766.tif 000008
【図７】
2018033766.tif 000009
【図８】
2018033766.tif 000010
【図９】
2018033766.tif 000011
【図１０】
2018033766.tif 000012
【図１１】
2018033766.tif 000013
【図１２】
2018033766.tif 000014
【図１３】
2018033766.tif 000015
【図１４】
2018033766.tif 000016